【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
車両（Ｃ）の周辺を撮像する車外カメラ（２）が撮像した画像を表示するために前記車両で用いられる車両用表示装置であって、
前記車外カメラが撮像した画像の一部を表示する表示部（４）と、
前記車両を運転するドライバ（１１）の目の位置を検出する検出部（６）と、
前記検出部が検出した前記ドライバの目の位置に基づいて、前記ドライバが前記表示部を視認している時間である視認時間を計測する視認時間計測部（７１）と、
前記視認時間が予め設定した視認時間閾値を超えたことに基づいて、前記車外カメラが撮像した画像から、前記表示部に表示する表示角度範囲（１０）を、前記ドライバの目の位置の移動に応じて移動させる範囲決定部（７２）と、を備え、
前記範囲決定部は、前記視認時間が視認時間閾値を超えたと判断した時点以降に、前記目の位置が一定の方向に継続して移動している時間が移動時間閾値を超えたことに基づいて、前記表示角度範囲を、前記ドライバの目の位置の移動に応じて移動させる車両用表示装置。
【請求項２】
前記範囲決定部は、前記視認時間が視認時間閾値を超えたと判断したことに基づいて前記ドライバの目の基準位置を設定し、前記基準位置からの前記ドライバの目の位置の移動量が距離閾値を超えたことに基づいて、前記表示角度範囲を、前記ドライバの目の位置の移動に応じて移動させる、請求項１に記載の車両用表示装置。
【請求項３】
前記範囲決定部は、前記視認時間が前記視認時間閾値を超えたと判断したことに基づいて、前記表示部から前記ドライバの目の方向に向かう基準線（Ｌｓ）を設定し、前記表示部から前記検出部が検出した前記ドライバの目の位置の方向に向かう目方向線（Ｌｅ）と前記基準線とのなす角度だけ、前記表示角度範囲を前記ドライバの目の移動方向と反対方向に移動させる請求項１または２に記載の車両用表示装置。
【請求項４】
車両（Ｃ）の周辺を撮像する車外カメラ（２）が撮像した画像を表示するために前記車両で用いられる車両用表示装置であって、
前記車外カメラが撮像した画像の一部を表示する表示部（４）と、
前記車両を運転するドライバ（１１）の目の位置を検出する検出部（６）と、
前記検出部が検出した前記ドライバの目の位置に基づいて、前記ドライバが前記表示部を視認している時間である視認時間を計測する視認時間計測部（７１）と、
前記視認時間が予め設定した視認時間閾値を超えたことに基づいて、前記車外カメラが撮像した画像から、前記表示部に表示する表示角度範囲（１０）を、前記ドライバの目の位置の移動に応じて移動させる範囲決定部（７２）と、を備え、
前記範囲決定部は、前記視認時間が前記視認時間閾値を超えたと判断したことに基づいて、前記表示部から前記ドライバの目の方向に向かう基準線（Ｌｓ）を設定し、前記表示部から前記検出部が検出した前記ドライバの目の位置の方向に向かう目方向線（Ｌｅ）と前記基準線とのなす角度が予め設定した速度切り換え角度以下であるうちは、前記目方向線と前記基準線とのなす角度だけ、前記表示角度範囲を前記ドライバの目の移動方向と反対方向に移動させ、前記目方向線と前記基準線とのなす角度が前記速度切り換え角度を超えた場合には、前記目方向線と前記基準線とのなす角度よりも大きい角度で、前記表示角度範囲を前記ドライバの目の移動方向と反対方向に移動させる車両用表示装置。
【請求項５】
車両（Ｃ）の周辺を撮像する車外カメラ（２）が撮像した画像を表示するために前記車両で用いられる車両用表示装置であって、
前記車外カメラが撮像した画像の一部を表示する表示部（４）と、
前記車両を運転するドライバ（１１）の目の位置を検出する検出部（６）と、
前記検出部が検出した前記ドライバの目の位置に基づいて、前記ドライバが前記表示部を視認している時間である視認時間を計測する視認時間計測部（７１）と、
前記視認時間が予め設定した視認時間閾値を超えたことに基づいて、前記車外カメラが撮像した画像から、前記表示部に表示する表示角度範囲（１０）を、前記ドライバの目の位置の移動に応じて移動させる範囲決定部（７２）と、を備え、
前記範囲決定部は、前記視認時間が前記視認時間閾値を超えたと判断したことに基づいて、前記表示部から前記ドライバの目の方向に向かう基準線（Ｌｓ）を設定し、前記表示部から前記ドライバの目の位置の方向に向かう目方向線（Ｌｅ）と前記基準線とのなす角度に１よりも小さい正の係数を乗じた角度だけ、前記表示角度範囲を前記ドライバの目の移動方向と反対方向に移動させる車両用表示装置。
【請求項６】
車両（Ｃ）の周辺を撮像する車外カメラ（２）が撮像した画像を表示するために前記車両で用いられる車両用表示装置であって、
前記車外カメラが撮像した画像の一部を表示する表示部（４）と、
前記車両を運転するドライバ（１１）の目の位置を検出する検出部（６）と、
前記検出部が検出した前記ドライバの目の位置に基づいて、前記ドライバが前記表示部を視認している時間である視認時間を計測する視認時間計測部（７１）と、
前記視認時間が予め設定した視認時間閾値を超えたことに基づいて、前記車外カメラが撮像した画像から、前記表示部に表示する表示角度範囲（１０）を、前記ドライバの目の位置の移動に応じて移動させる範囲決定部（７２）と、を備え、
前記範囲決定部は、
前記視認時間が前記視認時間閾値を超えたと判断したことに基づいて、前記表示部から前記ドライバの目の方向に向かう基準線（Ｌｓ）を設定し、
前記表示部から前記ドライバの目の位置の方向に向かう目方向線（Ｌｅ）と前記基準線とのなす角度が予め設定した速度切り換え角度以下であるうちは、前記目方向線と前記基準線とのなす角度だけ、前記表示角度範囲を前記ドライバの目の移動方向と反対方向に移動させ、前記目方向線と前記基準線とのなす角度が、前記速度切り換え角度を超えた場合には、前記目方向線と前記基準線とのなす角度よりも大きい角度で、前記表示角度範囲を前記ドライバの目の移動方向と反対方向に移動させる可変モードと、
前記目方向線と前記基準線とのなす角度によらず、前記目方向線と前記基準線とのなす角度だけ、前記表示角度範囲を前記ドライバの目の移動方向と反対方向に移動させる標準モードと、
前記目方向線と前記基準線とのなす角度に１よりも小さい正の係数を乗じた角度だけ、前記表示角度範囲を前記ドライバの目の移動方向と反対方向に移動させる減速モード
の３つのモードが切り換え可能である車両用表示装置。
【請求項７】
前記範囲決定部は、前記視認時間が視認時間閾値を超えたと判断したことに基づいて前記ドライバの目の基準位置を設定し、前記基準位置からの前記ドライバの目の位置の移動量が距離閾値を超えたことに基づいて、前記表示角度範囲を、前記ドライバの目の位置の移動に応じて移動させる、請求項４〜６のいずれか１項に記載の車両用表示装置。
【請求項８】
前記範囲決定部は、前記視認時間が視認時間閾値を超えたと判断した時点以降に、前記目の位置が一定の方向に継続して移動している時間が移動時間閾値を超えたことに基づいて、前記表示角度範囲を、前記ドライバの目の位置の移動に応じて移動させる、請求項４〜７のいずれか１項に記載の車両用表示装置。
【請求項９】
前記車外カメラは、前記車両の前方を撮像するフロントカメラである請求項１〜８のいずれか１項に記載の車両用表示装置。
【手続補正２】
【補正対象書類名】明細書
【補正対象項目名】０００９
【補正方法】変更
【補正の内容】
【０００９】
上記目的を達成するための第１の開示は、
車両（Ｃ）の周辺を撮像する車外カメラ（２）が撮像した画像を表示するために車両で用いられる車両用表示装置であって、
車外カメラが撮像した画像の一部を表示する表示部（４）と、
車両を運転するドライバ（１１）の目の位置を検出する検出部（６）と、
検出部が検出したドライバの目の位置に基づいて、ドライバが表示部を視認している時間である視認時間を計測する視認時間計測部（７１）と、
視認時間が予め設定した視認時間閾値を超えたことに基づいて、車外カメラが撮像した画像から、表示部に表示する表示角度範囲（１０）を、ドライバの目の位置の移動に応じて移動させる範囲決定部（７２）とを備え、
範囲決定部は、視認時間が視認時間閾値を超えたと判断した時点以降に、目の位置が一定の方向に継続して移動している時間が移動時間閾値を超えたことに基づいて、表示角度範囲を、ドライバの目の位置の移動に応じて移動させる。
第２の開示は、車両（Ｃ）の周辺を撮像する車外カメラ（２）が撮像した画像を表示するために車両で用いられる車両用表示装置であって、
車外カメラが撮像した画像の一部を表示する表示部（４）と、
車両を運転するドライバ（１１）の目の位置を検出する検出部（６）と、
検出部が検出したドライバの目の位置に基づいて、ドライバが表示部を視認している時間である視認時間を計測する視認時間計測部（７１）と、
視認時間が予め設定した視認時間閾値を超えたことに基づいて、車外カメラが撮像した画像から、表示部に表示する表示角度範囲（１０）を、ドライバの目の位置の移動に応じて移動させる範囲決定部（７２）と、を備え、
範囲決定部は、視認時間が視認時間閾値を超えたと判断したことに基づいて、表示部からドライバの目の方向に向かう基準線（Ｌｓ）を設定し、表示部から検出部が検出したドライバの目の位置の方向に向かう目方向線（Ｌｅ）と基準線とのなす角度が予め設定した速度切り換え角度以下であるうちは、目方向線と基準線とのなす角度だけ、表示角度範囲をドライバの目の移動方向と反対方向に移動させ、目方向線と基準線とのなす角度が速度切り換え角度を超えた場合には、目方向線と基準線とのなす角度よりも大きい角度で、表示角度範囲をドライバの目の移動方向と反対方向に移動させる。
第３の開示は、車両（Ｃ）の周辺を撮像する車外カメラ（２）が撮像した画像を表示するために車両で用いられる車両用表示装置であって、
車外カメラが撮像した画像の一部を表示する表示部（４）と、
車両を運転するドライバ（１１）の目の位置を検出する検出部（６）と、
検出部が検出したドライバの目の位置に基づいて、ドライバが表示部を視認している時間である視認時間を計測する視認時間計測部（７１）と、
視認時間が予め設定した視認時間閾値を超えたことに基づいて、車外カメラが撮像した画像から、表示部に表示する表示角度範囲（１０）を、ドライバの目の位置の移動に応じて移動させる範囲決定部（７２）と、を備え、
範囲決定部は、視認時間が視認時間閾値を超えたと判断したことに基づいて、表示部からドライバの目の方向に向かう基準線（Ｌｓ）を設定し、表示部からドライバの目の位置の方向に向かう目方向線（Ｌｅ）と基準線とのなす角度に１よりも小さい正の係数を乗じた角度だけ、表示角度範囲をドライバの目の移動方向と反対方向に移動させる。
第４の開示は、車両（Ｃ）の周辺を撮像する車外カメラ（２）が撮像した画像を表示するために車両で用いられる車両用表示装置であって、
車外カメラが撮像した画像の一部を表示する表示部（４）と、
車両を運転するドライバ（１１）の目の位置を検出する検出部（６）と、
検出部が検出したドライバの目の位置に基づいて、ドライバが表示部を視認している時間である視認時間を計測する視認時間計測部（７１）と、
視認時間が予め設定した視認時間閾値を超えたことに基づいて、車外カメラが撮像した画像から、表示部に表示する表示角度範囲（１０）を、ドライバの目の位置の移動に応じて移動させる範囲決定部（７２）と、を備え、
範囲決定部は、
視認時間が視認時間閾値を超えたと判断したことに基づいて、表示部からドライバの目の方向に向かう基準線（Ｌｓ）を設定し、
表示部からドライバの目の位置の方向に向かう目方向線（Ｌｅ）と基準線とのなす角度が予め設定した速度切り換え角度以下であるうちは、目方向線と基準線とのなす角度だけ、表示角度範囲をドライバの目の移動方向と反対方向に移動させ、目方向線と基準線とのなす角度が、速度切り換え角度を超えた場合には、目方向線と基準線とのなす角度よりも大きい角度で、表示角度範囲をドライバの目の移動方向と反対方向に移動させる可変モードと、
目方向線と基準線とのなす角度によらず、目方向線と基準線とのなす角度だけ、表示角度範囲をドライバの目の移動方向と反対方向に移動させる標準モードと、
目方向線と基準線とのなす角度に１よりも小さい正の係数を乗じた角度だけ、表示角度範囲をドライバの目の移動方向と反対方向に移動させる減速モード
の３つのモードが切り換え可能である。